【事件の表示】
　平成１０年特許願第１４５２６８号「画像合成装置および画像合成方法」拒絶査定不服審判事件〔平成１１年１２月１０日出願公開、特開平１１−３３９０６９〕について、次のとおり審決する。
【結　論】
　本件審判の請求は、成り立たない。
【理　由】
１　手続きの経緯・本願発明
　本願は、平成１０年５月２７日の出願であって、平成１９年１１月２７日付けで拒絶査定がされ、これに対して平成２０年１月４日に拒絶査定不服審判が請求されるとともに、同年２月４日付けで手続補正がなされたものである。
　
　本願の発明は、平成２０年２月４日付けの手続補正書により補正された特許請求の範囲の請求項１ないし８に記載されたものと認められるところ、その請求項１に記載された発明（以下、「本願発明」という。）は、次のとおりのものである。
「【請求項１】　第１の画像に、１以上の単位図形で定義される３次元画像である第２の画像を合成する画像合成装置であって、
　少なくとも１画面分の画像をそれぞれ記憶可能な第１乃至第３の記憶手段を有し、前記第１の画像を記憶する画像記憶手段と、
　前記３次元画像を構成する１以上の単位図形を、その単位図形の頂点およびその頂点における画素値に基づいて、前記画像記憶手段に記憶された前記第１の画像に重ねて描画することにより、前記第１の画像に、前記第２の画像を合成する描画手段と、
　前記画像記憶手段の前記第１乃至第３の記憶手段における画像の読み書きを制御する制御手段と
　を備え、
　前記制御手段は、前記第１乃至第３の記憶手段のうちの１の記憶手段に対して、前記第１の画像が記憶されるのと同時に、他の１の記憶手段に対して、前記描画手段による前記３次元画像の描画が行われるとともに、さらに他の１の記憶手段から、その記憶値が読み出されるように制御を行う
　ことを特徴とする画像合成装置。」
　
２　引用例
　原審の拒絶の理由で引用された特開平１０−７４０７８号公報（以下、「引用例１」という。）には次の事項が図面とともに開示されている。（記載箇所は段落番号で表示）
　ア　「【０００２】
【従来の技術】コンピュータグラフィックスや映像編集システム等では、原画像を２次元空間において座標変換して遠近効果（Perspective）やその他の特殊効果を得ることが頻繁に行われる。」
　
　イ　「【００３３】図５は、以上の２パス変換方式を適用してこの発明を実現するための２次元空間変換装置の具体例を示すブロック図である。この変換装置には、ＤＲＡＭからなる第１の画像メモリ１１と高速ＳＲＡＭからなる第２の画像メモリ１２とが設けられている。第１の画像メモリ１１は、３つの画像メモリ１１ａ，１１ｂ，１１ｃからなるトリプルバッファ構成となっている。これら画像メモリ１１ａ〜１１ｃの各データ端子は、スイッチ１３により、画像入力端子１４，画像出力端子１５及び変換バス１６にそれぞれフレーム又はフィールド毎に切り換えられて接続されるようになっている。画像メモリ１１には、同期アドレス発生器１７からの同期アドレスＷＡ０，ＲＡ３が供給されると共に、スイッチ１８を介して第１パス用のアドレス発生器１９からの読み出しアドレスＲＡ１が供給される。
【００３４】一方、ＳＲＡＭからなる画像メモリ１２には、画像メモリ１１からスイッチ１３、変換バス１６及びスイッチ２０を介して画像データがリード／ライトされる。画像メモリ１２には、第１パス用のシーケンシャルスキャン発生器２１からの書込アドレスＷＡ１がスイッチ２２を介して与えられる。また、第２パス用のアドレス発生器２３からの読み出しアドレスＲＡ２及びシーケンシャルスキャン発生器２４からの書込アドレスＷＡ２は、スイッチ２５で画素毎に交互に選択され、スイッチ２６を介して画像メモリ１２に与えられる。データレジスタ２７は、画像メモリ１２を使用した第２パスの変換時に画像メモリ１２から読み出した画素データを一時的に記憶するものである。ＣＰＵ２８は、アドレス発生器１９，２３のアドレス生成時に使用される変換パラメータを演算し、映像信号の垂直同期パルスによりインタラプトされて変換パラメータをバス２９を介してＲＡＭに変換テーブル３０として格納する。」
　
　ウ　「【００４４】次に、このように構成された画像の２次元空間変換装置の動作について説明する。図１１は各フレームサイクルでのスイッチ１３の状態を示す図、図１２はこれに対応したタイミングチャートである。サイクルＴ１では、図１１（ａ）に示すように、画像入力端子１４と画像メモリ１１ａ、画像出力端子１５と画像メモリ１１ｃ、変換バス１６と画像メモリ１１ｂとがそれぞれ接続される。これにより、画像メモリ１１ａには原画像が入力され（画像入力サイクル）、画像メモリ１１ｂは画像メモリ１２との間で変換処理のため１フレーム前に格納された画像データのリード／ライトを行い（画像変換サイクル）、画像メモリ１１ｃは１フレーム前に格納された変換画像を外部に出力する（画像出力サイクル）。
【００４５】サイクルＴ２では、図１１（ｂ）に示すように、画像入力端子１４と画像メモリ１１ｃ、画像出力端子１５と画像メモリ１１ｂ、変換バス１６と画像メモリ１１ａとがそれぞれ接続される。これにより、画像メモリ１１ａは変換サイクル、画像メモリ１１ｂは画像出力サイクル、画像メモリ１１ｃは画像入力サイクルとなる。サイクルＴ３では、図１１（ｃ）に示すように、画像入力端子１４と画像メモリ１１ｂ、画像出力端子１５と画像メモリ１１ａ、変換バス１６と画像メモリ１１ｃとがそれぞれ接続される。これにより、画像メモリ１１ａは画像出力サイクル、画像メモリ１１ｂは画像入力サイクル、画像メモリ１１ｃは変換サイクルとなる。このように、この装置では、入出力はリアルタイムＴＶスキャンタイミングで映像データを入出力するのに対し、画像変換は別のフレームタイミングで処理されるため、入出力部にバッファを設けているが、入出力用のバッファを従来のようにそれぞれダブルバッファ構成とするのではなく、入出力バッファ用と変換用とでトリプルバッファを構成し、同一のサイクルで画像入力、画像出力、変換処理を並列に実行しているので、画像メモリを削減することができる。
【００４６】ここでフレームサイクルＴ１〜Ｔ３における画像メモリ１１ａに着目すると、その処理は、次のようになる。まず、サイクルＴ１で画像メモリ１１ａに原画像が入力される。次にスイッチ１３が切り換えられ、変換サイクルＴ２に入る。　…（中略）…
【００４８】　…（中略）…　そして、フレーム（フィールド）タイミングでスイッチ１３が切り換えられ、画像メモリ１１ａに転送された変換画像が画像出力端子１５を介して外部に出力される。以下、同様の処理が他の画像メモリ１１ｂ，１１ｃについても繰り返される。」
　
　前掲アないしウの記載によると引用例１には、
「原画像に２次元空間変換処理を行う２次元空間変換装置において、３つの画像メモリ１１ａ，１１ｂ，１１ｃからなるトリプルバッファ構成の第１の画像メモリと、２次元空間変換を行うための画像変換手段とを備え、スイッチの切り換えにより、処理サイクルＴ１では、画像入力端子と画像メモリ１１ａ、画像出力端子と画像メモリ１１ｃ、変換バスと画像メモリ１１ｂとがそれぞれ接続されることにより、画像メモリ１１ａには原画像が入力され（画像入力サイクル）、画像メモリ１１ｂは画像メモリ１２との間で変換処理のため１フレーム前に格納された画像データのリード／ライトを行い（画像変換サイクル）、画像メモリ１１ｃは１フレーム前に格納された変換画像を外部に出力する（画像出力サイクル）２次元空間変換装置」の発明（以下、「引用発明」という。）が記載されていると認められる。
　
　３　対比
　本願発明と引用発明とを対比する。
　引用発明の「２次元空間変換装置」と本願発明の「画像合成装置」はともに、入力画像（「第１の画像」）に対して、「画像変換手段」や「描画手段」という画像処理手段を用いて、画像処理を行うものであるから、両者はともに「第１の画像に画像処理を行う画像処理手段」を備えた「第１の画像に、画像処理を行う画像処理装置」である点で共通する。
　そして、引用発明の「第１の画像メモリ」は「３つの画像メモリ１１ａ，１１ｂ，１１ｃからなるトリプルバッファ構成」となっており、各画像メモリ１１ａ，１１ｂ，１１ｃが「少なくとも１画面分の画像をそれぞれ記憶可能」であることは自明であるから、引用発明と本願発明はともに、「少なくとも１画面分の画像をそれぞれ記憶可能な第１乃至第３の記憶手段を有し、前記第１の画像を記憶する画像記憶手段」を備える点で一致する。
　また、引用発明は、「スイッチの切り換えにより、処理サイクルＴ１では、画像メモリ１１ａには原画像が入力され（画像入力サイクル）、画像メモリ１１ｂは画像メモリ１２との間で変換処理のため１フレーム前に格納された画像データのリード／ライトを行い（画像変換サイクル）、画像メモリ１１ｃは１フレーム前に格納された変換画像を外部に出力する（画像出力サイクル）」ものであり、「スイッチ」は、本願発明の「前記画像記憶手段の前記第１乃至第３の記憶手段における画像の読み書きを制御する制御手段」に相当するといえるから、引用発明と本願発明はともに、「前記制御手段は、前記第１乃至第３の記憶手段のうちの１の記憶手段に対して、前記第１の画像が記憶されるのと同時に、他の１の記憶手段に対して、前記画像処理手段により画像処理された画像の記憶が行われるとともに、さらに他の１の記憶手段から、その記憶値が読み出されるように制御を行う」という点で共通する。
　
　以上を踏まえると、両者の一致点、相違点は以下のとおりである。
　
【一致点】
「第１の画像に、画像処理を行う画像処理装置であって、
　少なくとも１画面分の画像をそれぞれ記憶可能な第１乃至第３の記憶手段を有し、前記第１の画像を記憶する画像記憶手段と、
　前記第１の画像に、画像処理を行う画像処理手段と、
　前記画像記憶手段の前記第１乃至第３の記憶手段における画像の読み書きを制御する制御手段と
　を備え、
　前記制御手段は、前記第１乃至第３の記憶手段のうちの１の記憶手段に対して、前記第１の画像が記憶されるのと同時に、他の１の記憶手段に対して、前記画像処理手段により画像処理された画像の記憶が行われるとともに、さらに他の１の記憶手段から、その記憶値が読み出されるように制御を行う画像処理装置。」
　
【相違点】
　本願発明は、「第１の画像に、１以上の単位図形で定義される３次元画像である第２の画像を合成する画像合成装置」であって、「前記３次元画像を構成する１以上の単位図形を、その単位図形の頂点およびその頂点における画素値に基づいて、前記画像記憶手段に記憶された前記第１の画像に重ねて描画することにより、前記第１の画像に、前記第２の画像を合成する描画手段」を有し、「制御手段」は「他の１の記憶手段に対して、前記描画手段による前記３次元画像の描画が行われる」ように制御を行うのに対して、引用発明は、「原画像に、２次元空間変換を行う２次元空間変換装置」であって、「前記原画像に２次元空間変換を行う画像変換手段」を有し、制御手段は、「画像メモリ１１ｂ」に対して画像変換手段により変換された画像の記憶が行われるように制御を行う点。
　
４　当審の判断
　相違点について
　コンピュータグラフィックスの技術分野において、入力された実写画像に、コンピュータグラフィックスによる作成されたＣＧ画像を上書き合成することは、特開平７−４４７８８号公報（段落【００５１】参照）や特開平８−１０１９２４号公報（段落【００２１】）等にも記載されているように、一般的に良く用いられる慣用の画像処理である。
　そして、前掲アに記載されるように、引用発明もまたコンピュータグラフィックスの技術分野に属するものであるから、「画像変換」という画像処理に代えて、上記慣用の画像処理を用いること、すなわち、引用発明を「第１の画像に、１以上の単位図形で定義される３次元画像である第２の画像を合成する画像合成装置」とし、「前記３次元画像を構成する１以上の単位図形を、その単位図形の頂点およびその頂点における画素値に基づいて、前記画像記憶手段に記憶された前記第１の画像に重ねて描画することにより、前記第１の画像に、前記第２の画像を合成する描画手段」を備えさせ、「制御手段」は「他の１の記憶手段に対して、前記描画手段による前記３次元画像の描画が行われる」ように制御を行うように構成することは、当業者が容易に想到し得たことといえる。
　
　また、本願発明の奏する効果も、引用例１に記載された発明及び慣用技術から想定できる程度のものにすぎず、格別なものとはいえない。
　
５　むすび
　以上のとおり、本願発明は、引用例１に記載された発明及び慣用技術に基づいて当業者が容易に発明をすることができたものであるから、特許法第２９条第２項の規定により特許を受けることができない。
　したがって、本願は、他の請求項について検討するまでもなく、拒絶すべきものである。
　よって、結論のとおり審決する。